(57)【特許請求の範囲】
【請求項１】
上方付勢状態で押込み可能に起立したステムを有するポンプに装着される押下ヘッドであって、
ノズルを有するとともに、該ノズルを介して外部に連通可能な弁室が内部に形成されたヘッド本体と、
該ヘッド本体と前記ステムとの間に介装される連結部材と、
前記弁室内に収容され、前記ノズルを開閉する弁部材と、
前記ヘッド本体を押し下げることにより前記ノズルを開放させる方向に前記弁部材を移動させる移動機構と、を備え、
前記ヘッド本体には、前記連結部材を収容する筒状の周壁部が備えられ、
前記連結部材は、天板部と、該天板部の下面に垂設された下筒部と、前記天板部の上面に立設され前記下筒部の内部及び前記弁室にそれぞれ連通された上筒部と、前記天板部の外縁部から前記周壁部の中心軸線と平行に延びて前記周壁部の内周面に摺接されたガイド壁部と、を備え、
該ガイド壁部は、前記天板部の外縁部から、上方および下方のうち上方に限定して前記中心軸線と平行に延びていることを特徴とする押下ヘッド。
【請求項２】
請求項１記載の押下ヘッドにおいて、
前記周壁部の内周面及び前記ガイド壁部の外周面には、前記ヘッド本体と前記連結部材とのヘッド本体周方向の相対的な回動を規制するとともに前記中心軸線方向の相対的な移動を許容する係合部が形成されていることを特徴とする押下ヘッド。
【請求項３】
請求項１又は２の何れか一項に記載の押下ヘッドにおいて、
前記下筒部は、前記ステムの上端部の内側に嵌合されていることを特徴とする押下ヘッド。
【発明の詳細な説明】
【技術分野】
【０００１】
本発明は、ポンプに装着される押下ヘッドに関する。
【背景技術】
【０００２】
従来、押下ヘッド付きのポンプがボトルの口部に取り付けられた吐出容器が提供されている。上記ポンプは、シリンダーやピストンからなるポンプ本体と、ボトル容器等の口部に取り付けるための取付キャップと、ポンプ本体の内部に連通されたステムと、を備えている。上記ステムは、取付キャップの天板部に貫設されたリングに挿通されており、取付キャップの天板部から上方付勢状態で押込み可能に起立している。
【０００３】
一方、上記押下ヘッドとしては、例えば下記特許文献１に示されるように、前方に向けて開口したノズルを有するヘッド本体と、ヘッド本体と上記ステムとの間に介装される連結部材と、ノズルを開閉する弁部材と、ノズルを開閉させる方向に弁部材を移動させる移動機構と、が備えられているものが存在する。
【０００４】
連結部材は、天板部と、天板部の下面に垂設された下筒部と、天板部の上面に立設された上筒部と、天板部の外縁部から下方に向かって垂設された外筒部（ガイド壁部）と、を備えている。下筒部は、ステムの上端部に嵌着されてステムの内部に連通されているとともに、天板部に形成された貫通孔を介して上筒部の内部に連通されている。
ヘッド本体は、天板部と、天板部の外縁部から垂設された筒状の周壁部と、が備えられ、上記周壁部の内側には、上記した連結部材が収容されているとともに、ノズルを介して外部に連通可能な弁室が内部に形成された横筒部が設けられている。前記弁部材は、ヘッド本体の弁室内に収容されている。また、横筒部には、上記弁室に連通された垂筒部が垂設され、この垂筒部が連結部材の上筒部に上下方向に摺動可能に嵌合されることで、上筒部が垂筒部を介して弁室に連通されるとともにヘッド本体は連結部材に取り付けられる。そして、その連結部材（上筒及び下筒）を介して弁室がステムの内部に連通されている。また、周壁部の内周面には、上記した連結部材の外筒部が摺接されており、これにより、ヘッド本体を押し下げる際、ヘッド本体の移動方向が案内される。
【０００５】
上記した構成の押下ヘッドによれば、ヘッド本体を連結部材に対して押し下げることにより、まず、弁部材が後方にスライドしてノズルが開口する。続いて、ヘッド本体をさらに押し下げることによって、ステムが下方に押し込まれて、容器体内の液体がステムから弁室内に流入し、ノズルから噴出される。その後、ヘッド本体の押し下げを解除したときに、ステムがコイルスプリング等の付勢力により上方に復元移動するとともに、弁部材がコイルスプリング等の付勢力により前方にスライドしてその前端部でノズルを閉塞する。
【特許文献１】特開２００２−３２６０４４号公報
【発明の開示】
【発明が解決しようとする課題】
【０００６】
しかしながら、上記した従来の押下ヘッドでは、連結部材の天板部の外縁部から外筒部が垂設されており、この外筒部がヘッド本体の周壁部の内側に収容されているため、周壁部の材軸方向の長さが長くなり、その結果、吐出容器の高さ寸法が大きくなるという問題が存在する。吐出容器の高さ寸法が大きいと、吐出容器を置いたときの安定性や使用感（操作性）が劣るだけでなく、デザイン状の制限や商品陳列時の制限が大きくなる。
【０００７】
本発明は、上記した従来の問題が考慮されたものであり、吐出容器の高さ寸法を小さくすることができる押下ヘッドを提供することを目的としている。
【課題を解決するための手段】
【０００８】
本発明に係る押下ヘッドは、上方付勢状態で押込み可能に起立したステムを有するポンプに装着される押下ヘッドであって、ノズルを有するとともに、該ノズルを介して外部に連通可能な弁室が内部に形成されたヘッド本体と、該ヘッド本体と前記ステムとの間に介装される連結部材と、前記弁室内に収容され、前記ノズルを開閉する弁部材と、前記ヘッド本体を押し下げることにより前記ノズルを開放させる方向に前記弁部材を移動させる移動機構と、を備え、前記ヘッド本体には、前記連結部材を収容する筒状の周壁部が備えられ、前記連結部材は、天板部と、該天板部の下面に垂設された下筒部と、前記天板部の上面に立設され前記下筒部の内部及び前記弁室にそれぞれ連通された上筒部と、前記天板部の外縁部から前記周壁部の中心軸線と平行に延びて前記周壁部の内周面に摺接されたガイド壁部と、を備え、該ガイド壁部は、前記天板部の外縁部から、上方および下方のうち上方に限定して前記中心軸線と平行に延びていることを特徴としている。
【０００９】
このような特徴により、押下ヘッドを押し下げることにより、弁部材がノズルから離間する方向へ移動してノズルが開放される。このとき、ヘッド本体の周壁部がガイド壁部に沿って摺動するため、ヘッド本体は周壁部の中心軸線方向に案内され、押下ヘッドの押し下げ時のがたつきが防止される。また、押下ヘッドを押し下げることにより、連結部材を介してステムが下方に押し込まれてポンプが稼動し、例えばボトル内の内容物がステムから弁室内に流入し、ノズルから噴出される。
【００１０】
また、本発明に係る押下ヘッドは、前記周壁部の内周面及び前記ガイド壁部の外周面には、前記ヘッド本体と前記連結部材とのヘッド本体周方向の相対的な回動を規制するとともに前記中心軸線方向の相対的な移動を許容する係合部が形成されていることが好ましい。
【００１１】
これにより、ヘッド本体が中心軸線周りに回転することが規制される。すなわち、ヘッド本体が中心軸線周りに回転しようとしても、係合部により係止されるため、ヘッド本体が回転しない。
【００１２】
また、本発明に係る押下ヘッドは、前記下筒部が、前記ステムの上端部の内側に嵌合されて前記ステムに連通されることが好ましい。
【００１３】
これにより、押下ヘッドを押し下げたとき、ポンプの取付キャップの天板部に下筒部が干渉せず、連結部材の天板部が前記取付キャップの天板部に当接するところまで、押下ヘッドを押し下げることが可能である。
【発明の効果】
【００１４】
本発明に係る押下ヘッドによれば、ガイド壁部が連結部材の天板部の外縁部から上方に向って延びているため、ヘッド本体の周壁部の材軸方向の長さを短くすることができ、これにより、従来の押下ヘッドと比べて吐出容器の高さ寸法を小さくすることができる。
【発明を実施するための最良の形態】
【００１５】
以下、本発明に係る押下ヘッドの実施の形態について、図面に基いて説明する。
図１は、吐出容器１の上部の縦断面図であって、本発明の一実施例である押下ヘッド４が装着された押下ヘッド付きポンプ２を表す図である。図２は、図１に示すＡ−Ａ間の断面図である。図３は、後述する連結部材２０の斜視図である。
なお、本実施の形態では、吐出容器１のボトル３からみて押下ヘッド４側（図１における上側）を上方とし、その反対側（図１における下側）を下方とする。また、後述するノズル１３の突出側（図１における左側）を前方とし、その反対側（図１における右側）を後方とする。また、上下方向に延在する図１に示す符号Ｌ１は、押下ヘッド４や後述する周壁部１２の中心軸線Ｌ１を示しており、また、前後方向に延在する図１に示す符号Ｌ２は、後述するノズル１３や横筒部１４の中心軸線Ｌ２を示している。
【００１６】
まず、吐出容器１の概略構成について説明しておく。
吐出容器１は、ボトル３内に収容された図示せぬ液体を押下ヘッド付きポンプ２によって吐出する容器であり、ボトル３と押下ヘッド付きポンプ２とが備えられている。
ボトル３は、液体を収容する容器であり、その上端部には、口部３ａが形成されている。口部３ａは、中心軸線Ｌ１を中心軸にして設けられた円筒形状のものであり、その外周面には雄ネジ３ｂが形成されている。
押下ヘッド付きポンプ２は、ボトル３内に収容された液体を吐出させるためのものであり、押下ヘッド４と取付キャップ５とポンプ本体６とを備えている。
【００１７】
取付キャップ５は、ボトル３の口部３ａに螺着されるキャップ体であり、中心軸線Ｌ１を中心軸にして設けられて上方に向うに従い漸次縮径された外筒部５ａと、中心軸線Ｌ１を中心軸にして設けられて外筒部５ａの上端から下方に向かって延びた円筒形状の内筒部５ｂと、内筒部５ｂの中心軸線Ｌ１方向の中間部分に設けられた天板部５ｃと、を備えている。内筒部５ｂの下部（天板部５ｃよりも下方の部分）の内周面には雌ネジ５ｄが形成されており、内筒部５ｂの下部はボトル３の口部３ａに螺合されている。天板部５ｃは、その上面がフラットに形成されている。また、天板部５ｃには、その中央から下方に向かって延びているとともに両端がそれぞれ開放された円筒状のリング部５ｅが設けられている。
【００１８】
ポンプ本体６は、取付キャップ５の天板部５ｃの下面に連設配置されて上記リング部５ｅの軸線延長線（中心軸線Ｌ１）上に配設されたシリンダ６０と、シリンダ６０の内側に配設された円筒形状のピストン部材６１と、ピストン部材６１に連結されたステム６２と、図示せぬコイルスプリング及び弁部材等と、を備える公知のポンプ機構であり、種々のポンプ機構を用いることができる。ステム６２は、円筒形状の部材であり、図示せぬコイルスプリングによって上方付勢状態で押込み可能に起立している。このステム６２の下部の内側には、ピストン部材６１の上部が挿嵌されている。また、ステム６２は、リング部５ｅの内側に挿入されており、取付キャップ５の天板部５ｃから上方に突出されている。また、ステム６２の内周面には、下方に向うに従い漸次縮径された縮径部６２ａが形成されており、この縮径部６２ａの内側には球状の弁体５０が載置されている。なお、上記弁体５０は、後述する連結部材２０の上筒部２４の内側に配設されていてもよく、或いは、上記弁体５０が無くてもよい。
【００１９】
次に、上記した押下ヘッド４の構成について説明する。
【００２０】
押下ヘッド４は、上記したポンプ本体６に装着されるものであり、ヘッド本体１０と連結部材２０と弁部材３０と移動機構４０とが備えられている。
【００２１】
ヘッド本体１０は、天板部１１と、天板部１１の外周縁から下方に向かって延びた筒状の周壁部１２と、周壁部１２の前方側の上部に設けられたノズル１３と、天板部１１の下方に設けられた横筒部１４と、周壁部１２の内側に嵌合された隔壁部１７と、を備えている。
【００２２】
天板部１１の上面には、指等で押圧するための押圧面１１ａが形成されている。具体的に説明すると、押圧面１１ａは、左右方向の中央部が円弧状に窪んだ形状になっている。
周壁部１２は円筒形状のものであり、周壁部１２の下端部は、取付キャップ５の内筒部５ｂの上端部の内側に挿入されており、ヘッド本体１０は、取付キャップ５に対して相対的に上下方向へ移動可能に配置されている。また、周壁部１２の内周面には、周壁部１２の中心軸線Ｌ１方向に延在するとともに周壁部１２の周方向に間隔をあけて配設された一対の凸リブ１２ａ（係合部）が互いに対向する位置に付設されている。これらの凸リブ１２ａは、周壁部１２の内周面の左右両側の位置に配設されている。
【００２３】
横筒部１４は、その内部に断面形状円形の内周孔（弁室１５）が形成された筒部である。横筒部１４は、前後方向に延設されているとともに上記した天板部１１の下面に付設されている。つまり、横筒部１４の上壁は、天板部１１により構成されている。横筒部１４は、ヘッド本体１０の天板部１１の左右方向の中央位置に配設されており、横筒部１４の側壁部分と周壁部１２の内周面との間に隙間があけられている。横筒部１４の前方側の端面は、周壁部１２を貫通して周壁部１２の外側に向けて開放されており、弁室１５は、ノズル１３を介して外部に連通可能になっている。一方、横筒部１４の後方側の端面は、周壁部１２の内周面との間に隙間をあけて配設された端壁部１４ａにより閉塞されている。この端壁部１４ａの中央部分には円形の貫通孔１４ｂが形成されている。また、端壁部１４ａの前方側（横筒部１４の内部側）の面には、弁室１５（横筒部１４内）に配置され、横筒部１４の中心軸線Ｌ２方向（前後方向）に延在するガイド筒部１４ｃが突設されている。また、横筒部１４の下壁部分には、上下方向に延在する円筒形状の垂筒部１６が垂設されている。この垂筒部１６は、中心軸線Ｌ１を中心軸にして配設されている。また、垂筒部１６の上下両端はそれぞれ開放されており、垂筒部１６の内部は弁室１５に連通されている。
【００２４】
隔壁部１７は、中心軸線Ｌ１に対して垂直に配設された壁部である。この隔壁部１７は、横筒部１４の下方に設けられており、その上面は、横筒部１４の下面に当接されている。隔壁部１７の中央部分には、上記した垂筒部１６が貫設されており、また、隔壁部１７の後方部分には、後述する梃部材４１を挿通させるための開口１７ａが形成されている。また、この開口１７ａの左右両側には、後述する梃部材４１を支持するための支持部１７ｂがそれぞれ垂設されている。
【００２５】
ノズル１３は、両端がそれぞれ開放された筒体であり、横筒部１４（弁室１５）と同軸上に配置され、中心軸線Ｌ２方向（前後方向）に延設されている。ノズル１３の後端部は、上記した横筒部１４の前端部の内側に嵌合されており、ノズル１３は周壁部１２の外周面に突設され、ノズル１３の内部は弁室１５に連通されている。詳しく説明すると、ノズル１３は、前方側に向けて漸次縮径されたテーパー状の先端部１３ａと、先端部１３ａの後端（拡径側の端部）からノズル径方向外側に突出されているとともにノズル全周に亘って形成されたリング状のフランジ１３ｂと、フランジ１３ｂから後方に向けて突出し、横筒部１４の前端部の内側に嵌合される円筒形状の嵌合部１３ｃと、を備えている。このノズル１３（嵌合部１３ｃ及び先端部１３ａ）の内周面には、前後方向（ノズル軸方向）に延在するリブ１３ｄが、ノズル内周面の周方向に間隔をあけて配設されており、これらリブ１３ｄの間に、液体を流通させるための流路１３ｅが形成されている。
【００２６】
連結部材２０は、ヘッド本体１０をポンプ本体６のステム６２の上端部に連結させるための部材であり、ヘッド本体１０の周壁部１２の内側に配置され、ヘッド本体１０とステム６２との間に介装されている。図３に示すように、連結部材２０は、中央部分に円形の貫通孔２１ａが形成された天板部２１と、天板部２１の中央部分から下方に向かって延びた円筒形状の下筒部２３と、天板部２１の中央部分から上方に向かって延びた円筒形状の上筒部２４と、この天板部１６の外縁部から上方に向かって延びたガイド壁部２２と、を備えている。
【００２７】
上記したガイド壁部２２は、中心軸線Ｌ１と平行に延びる壁部であり、平面視円弧状に形成されている。このガイド壁部２２は、図２に示すように、上筒部２４及び横筒部１４を挟んで左右両側にそれぞれ配設されており、両側のガイド壁部２２は、互いに対向配置されている。ガイド壁部２２の先端部は、横筒部１４の側壁部分と周壁部１２の内周面との間の隙間に挿入されており、ガイド壁部２２の上端とヘッド本体１０の天板部１１の下面との間には隙間が開けられている。また、ガイド壁部２２の外周面（対向面の反対側の面）は、周壁部１２の内周面に摺接されており、また、ガイド壁部２２の外周面の周方向中央部分には、中心軸線Ｌ１方向に延在する凹溝２２ａ（係合部）が形成されている。この凹溝２２ａは、周壁部１２の内周面に形成された凸リブ１２ａに係合されている。上記した凸リブ１２ａ及び凹溝２２ａは、ヘッド本体１０と連結部材２０とのヘッド本体周方向の相対的な回動を規制するとともに中心軸線Ｌ１方向の相対的な移動を許容するものである。
【００２８】
上記した下筒部２３及び上筒部２４は、中心軸線Ｌ１を中心軸にしてそれぞれ配設されている。また、上筒部２４の上端部の外周面は垂筒部１６の内周面に摺接されており、ヘッド本体１０は、連結部材２０に対して相対的に上下方向に摺動可能に配置されている。また、下筒部２３の下端及び上筒部２４の上端はそれぞれ両端が開口されており、下筒部２３の内部と上筒部２４の内部とは貫通孔２１ａを介して連通されている。また、下筒部２３の内側には、上記したステム６２の上端部が嵌合されている。また、上筒部２４は、ヘッド本体１０の垂筒部１６の内側に挿入されており、垂筒部１６を介して弁室１５に連通されている。
【００２９】
弁部材３０は、ノズル１３を開閉するための棒状の部材であり、横筒部１４内（弁室１５）に収容されている。また、弁部材３０は、横筒部１４（弁室１５）及びノズル１３と同軸上に配設されており、弁部材３０の材軸方向（前後方向）に移動自在に配置されている。具体的に説明すると、弁部材３０は、前方側から順に、前方（先端）に向うに従い漸次縮径された先端部３０ａと、ノズル１３の嵌合部１３ｃ内に収容された大径部３０ｂと、大径部３０ｂの後端部の外縁部から後方に向けて突設されているとともに後方に向うに従い漸次拡径されたスカート部３０ｃと、スカート部３０ｃの内側に配設されているとともに大径部３０ｂの後端面から後方に向けて突設された小径部３０ｄと、を備えている。
【００３０】
弁部材３０の先端部３０ａは、ノズル１３の先端部１３ａの先端開口（吐出口１３ｆ）に着脱自在に嵌め込まれている。スカート部３０ｃは、横筒部１４内のガイド筒部１４ｃ内に挿入されている。また、スカート部３０ｃの後端部は、その径方向外側に折り返した折り返し部３０ｅが全周に亘って形成されており、この折り返し部３０ｅは、ガイド筒部１４ｃの内周面に摺接されている。小径部３０ｄは、スカート部３０ｃの内周面との間に隙間をあけて配設されている。また、小径部３０ｄの後端部は、横筒部１４の端壁部１４ａに形成された貫通孔１４ｂ内に挿通されており、端壁部１４ａと周壁部１２の内周面との間に形成された隙間に突出されている。また、小径部３０ｄの後端部には、その径方向内側に凹んだ凹溝３０ｆが全周に亘って形成されている。
【００３１】
上記した構成からなる弁部材３０は、上記したスカート部３０ｃの折り返し部３０ｅがガイド筒部１４ｃに案内されるとともに、上記した大径部３０ｂがノズル１３のリブ１３ｄに案内されることで、弁部材３０の材軸方向に移動するようになっている。
【００３２】
移動機構４０は、ヘッド本体１０を押し下げることにより、ノズル１３を開放させる方向（後方）へ弁部材３０を移動させる機構である。移動機構４０は、左右方向に延在する回転軸４１ｃ周りに回転可能な梃部材４１と、弁部材３０を前方に付勢するコイルスプリング４２と、が備えられている。
【００３３】
梃部材４１は、左右方向からみて、く字状に形成された部材である。具体的に説明すると、梃部材４１は、平面視コ字形状の第一アーム部４１ａと、第一アーム部４１ａに対して角度をつけて連結された板状の第二アーム部４１ｂと、第一アーム部４１ａと第二アーム部４１ｂとの連結部分の左右両側の側面にそれぞれ突設されたピン状の回転軸４１ｃと、を備えている。第一アーム部４１ａは、ヘッド本体１０の隔壁部１７の下方に配設されており、その先端部が連結部材２０の天板部２１の上面に当接されている。また、第一アーム部４１ａの内側には、垂筒部１６が配置されている。第二アーム部４１ｂは、隔壁部１７に形成された開口１７ａから隔壁部１７の上方に突出されて、横筒部１４の端壁部１４ａと周壁部１２の内周面との間の隙間に配置されている。第二アーム部４１ｂの上端部には、Ｕ字状に切り欠いた凹部４１ｄが形成されており、この凹部４１ｄは、弁部材３０の後端部に形成された凹溝３０ｆに掛合されている。また、回転軸４１ｃは、隔壁部１７の支持部１７ｂに軸支されている。
【００３４】
コイルスプリング４２は、横筒部１４内（弁室１５）に収容され、弁部材３０と同軸上に配設されている。具体的に説明すると、コイルスプリング４２は、弁部材３０のスカート部３０ｃと小径部３０ｄとの間に設けられており、弁部材３０の大径部３０ｂの後端面と横筒部１４の端壁部１４ａとの間に介装されている。なお、このコイルスプリング４２は、上記したポンプ本体６の図示せぬコイルスプリングよりも付勢力（復元力）が弱いものを用いることが好ましい。つまり、移動機構４０のコイルスプリング４２は、ポンプ本体６の図示せぬコイルスプリングによりもばね定数が小さいものを用いることが好ましい。
【００３５】
次に、上記した構成からなる押下ヘッド４の作用について説明する。
【００３６】
まず、ヘッド本体１０の押圧面１１ａを指等で押圧し、ヘッド本体１０を押し下げる。このとき、連結部材２０は動かず、ヘッド本体１０とともに弁部材３０及び移動機構４０がそれぞれ下方に移動するため、梃部材４１が回転して弁部材３０が後方に移動する。詳しく説明すると、梃部材４１の第一アーム部４１ａの下端が連結部材２０の天板部２１の上面に当接した状態で梃部材４１の回転軸４１ｃが下降するため、梃部材４１は、第二アーム部４１ｂの上端を後方に移動させる方向に回転軸４１ｃ周りに回動する。このとき、第二アーム部４１ｂの凹部４１ｄが弁部材３０の凹溝３０ｆに掛止されているため、回動する梃部材４１により弁部材３０の後端部が後方に引っ張られ、弁部材３０は後方に移動する。これにより、ノズル１３の吐出口１３ｆから弁部材３０の先端部３０ａが離間し、ノズル１３が開口される。
【００３７】
なお、ヘッド本体１０が押し下げられたとき、ヘッド本体１０の周壁部１２が取付キャップ５の内筒部５ｂに沿って移動する。また、ヘッド本体１０の周壁部１２が連結部材２０のガイド壁部２２に沿って下方へ摺動するとともに、ヘッド本体１０の垂筒部１６が連結部材２０の上筒部２４に沿って下方へ摺動する。このため、ヘッド本体１０は、中心軸線Ｌ１方向に沿って下降する。このとき、ガイド壁部２２が、横筒部１４を挟んで両側にそれぞれ配設されているため、ガイド壁部２２が横筒部１４や梃部材４１等に干渉することがなく、ヘッド本体１０を連結部材２０に対して相対的に押し下げることが可能である。
【００３８】
また、ヘッド本体１０が押し下げられたとき、周壁部１２の内周面に形成された凸リブ１２ａと連結部材２０のガイド壁部２２の外周面に形成された凹溝２２ａが係合しているため、ヘッド本体１０の中心軸線Ｌ１周りの回転が規制される。すなわち、ヘッド本体１０が中心軸線Ｌ１周りに回転しようとしても、凸リブ１２ａと凹溝２２ａとが係止されるため、ヘッド本体１０が中心軸線Ｌ１周りに回転することが防止される。
【００３９】
また、弁部材３０が後方に引っ張られたとき、弁部材３０のスカート部３０ｃの折り返し部３０ｅが横筒部１４のガイド筒部１４ｃの内周面上を摺動するとともに、弁部材３０の大径部３０ｂがノズル１３のリブ１３ｄに摺動する。このため、弁部材３０は、横筒部１４の中心軸線Ｌ２に沿って後方へ移動する。
【００４０】
続いて、ヘッド本体１０を更に押し下げていくと、ヘッド本体１０の垂筒部１６の下端が連結部材２０の天板部２１の上面に当接すること、及び／又は、梃部材４１の第二アーム部４１ｂの上端部がヘッド本体１０の周壁部１２の内周面に当接することにより、梃部材４１の回動が規制される。これにより、連結部材２０は、垂筒部１６及び／又は梃部材４１により下向きに押圧され、ヘッド本体１０とともに下降し、押下ヘッド４全体が押し下げられる。このとき、押下ヘッド４は、連結部材２０の下筒部２３の下端面及び／又はヘッド本体１０の周壁部１２の下端面が取付キャップ５の天板部５ｃの上面に当接するところまで、押下ヘッド４を押し下げることが可能である。
【００４１】
また、上述したように連結部材２０が下降すると、連結部材２０の下筒部２３に嵌合されたステム６２が下降するとともに、このステム６２に嵌合されたポンプ本体６のピストン部材６１が押し下げられる。これにより、ボトル３内に収容された液体が、ポンプ本体６のポンプ機構によって、弁室１５に移送され、ノズル１３の吐出口１３ｆから吐出される。詳しく説明すると、押し下げられたピストン部材６１が上方に復帰する際に、ボトル３内の液体は、シリンダ６０内に流入する。このシリンダ６０内の液体は、押下ヘッド４の押し下げにより、ピストン部材６１内を通り、さらに、連結部材２０の下筒部２３、上筒部２４及びヘッド本体１０の垂筒部１６の各内部を流通して弁室１５に移送される。そして、弁室１５内の液体は、ノズル１３のリブ１３ｄ間に形成された流路１３ｅを通って吐出口１３ｆから外部に吐出される。
【００４２】
次に、ヘッド本体１０の押圧面１１ａを押圧していた指等を離し、ヘッド本体１０の押し下げを解除すると、ポンプ本体６の図示せぬコイルスプリングによりピストン部材６１が上方に付勢されて上昇するとともに、弁室１５内のコイルスプリング４２により弁部材３０が前方に付勢されて前方に移動する。
【００４３】
前記押し下げの解除によってピストン部材６１が上昇すると、ピストン部材６１と嵌合しているステム６２が上昇し、さらに、ステム６２に嵌合された連結部材２０が上昇する。これにより、ヘッド本体１０の垂筒部１６が連結部材２０の天板部２１により上向きに押圧され、ヘッド本体１０が押し上げられ、ヘッド本体１０が取付キャップ５に対して上方に移動する。
【００４４】
また、弁部材３０が前方に移動すると、弁部材３０の先端部３０ａがノズル１３の吐出口１３ｆに嵌め込まれ、ノズル１３が閉じられる。また、弁部材３０が前方に移動すると、梃部材４１の第二アーム部４１ｂの凹部４１ｄが弁部材３０の後端部の凹溝３０ｆに掛止されているため、梃部材４１が、第二アーム部４１ｂの上端を前方に移動させる方向に回動する。これにより、連結部材２０の天板部２１の上面から梃部材４１の第一アーム部４１ａが反力をとり、梃部材４１（移動機構４０）及び弁部材３０とともにヘッド本体１０が上方に押し上げられ、ヘッド本体１０が連結部材２０に対して上方に移動する。
以上により、押下ヘッド４は元の位置に戻る。
【００４５】
上記した構成からなる押下ヘッド４によれば、ガイド壁部２２が連結部材２０の天板部２１の外縁部から上方に向けて延びているため、ヘッド本体１０の周壁部１２の材軸方向長さ（高さ）を短くすることができる。すなわち、従来の押下ヘッドにおける（連結部材の天板部の外縁部から下方に向かって垂設された）外筒部の長さ寸法の分だけ周壁部１２の長さ寸法を小さくすることができる。これにより、従来の押下ヘッドと比べて吐出容器１の高さ寸法を小さくすることができ、吐出容器１の安定性、操作性（使用感）を向上させることができ、また、吐出容器１のデザイン上の制限を少なくできるとともに商品陳列時の制限を小さくすることができる。
【００４６】
また、上記した構成からなる押下ヘッド４によれば、周壁部１２の内周面に形成された凸リブ１２ａとガイド壁部２２の外周面に形成された凹溝２２ａとが係合されており、ヘッド本体１０の中心軸線Ｌ１周りの回転が規制されているため、ヘッド本体１０を押し下げる際、ヘッド本体１０が回転して予想外の方向に液体が吐出される不具合を防止することができる。
【００４７】
また、上記した構成からなる押下ヘッド４によれば、ガイド壁部２２が、横筒部１４を挟んで両側にそれぞれ配設されており、ガイド壁部２２が横筒部１４や梃部材４１に干渉することなく、ヘッド本体１０を連結部材２０に対して相対的に押し下げることが可能であるため、ガイド壁部２２の高さ寸法を大きくすることができる。これにより、より確実に連結部材２０に対するヘッド本体１０の移動を案内することができるとともに、ヘッド本体１０のがたつきを防止することができる。
【００４８】
以上、本発明に係る押下ヘッドの実施の形態について説明したが、本発明は上記した実施の形態に限定されるものではなく、その趣旨を逸脱しない範囲で適宜変更可能である。
例えば、上記した実施の形態では、連結部材２０の下筒部２３の内側にステム６２の上端部が嵌合されているが、本発明は、図４に示すように、ステム１６２の上端部の内側に連結部材１２０の下筒部１２３が嵌合されていることが好ましい。これにより、連結部材１２０の天板部２１が取付キャップ５の天板部５ｃの上面に当接するところまで、押下ヘッド４を押し下げることが可能なので、ステム１６２の突出長さＨを短くすることができ、従来の押下ヘッドと比べて吐出容器１の高さ寸法をさらに小さくすることができる。
【００４９】
また、上記した実施の形態では、弁部材３０を移動させる移動機構４０として、梃部材４１を用いた機構になっているが、本発明は、上記した移動機構４０に限定されるものではなく、他の移動機構により弁部材３０を移動させてもよい。
【００５０】
例えば、図５に示すように、弁部材３０の中心軸線Ｌ２に対して傾斜した傾斜面１４１ａ，１４２ａを介して摺接された移動部１４１及び受部１４２を備える移動機構１４０を用いることも可能である。詳しく説明すると、弁部材３０の後端部に設けられた移動部１４１には、後方に向うに従い下方に傾いた傾斜面１４１ａが形成されている。一方、連結部材２０の天板部２１に立設された受部１４２には、後方に向うに従い下方に傾いた傾斜面１４２ａが形成されている。これらの傾斜面１４１ａ，１４２ａは互いに当接されており、移動部１４１は受部１４２の傾斜面１４２ａに沿って移動可能に設けられている。上記した構成からなる移動機構１４０によると、ヘッド本体１０が押し下げられたとき、移動部１４１が受部１４２の傾斜面１４２ａに沿って摺り落ちるように後方斜め下方に向けて移動する。これにより、移動部１４１に取り付けられた弁部材３０が後方に移動し、ノズル１３が開放される。また、上記したヘッド本体１０の押し下げを解除すると、図示せぬコイルスプリング等により弁部材３０が前方に付勢される。これにより、弁部材３０が前方に移動し、ノズル１３が弁部材３０により閉じられる。このとき、弁部材３０の前方への移動とともに、移動部１４１が受部１４２の傾斜面１４２ａに沿って摺り上がるように前方斜め上方に向けて移動する。これにより、ヘッド本体１０は連結部材２０に対して押し上げられ、元の位置に戻る。
【００５１】
また、上記した実施の形態では、周壁部１２の内周面の左右両側部分に凸リブ１２ａがそれぞれ設けられ、連結部材２０のガイド壁部２２の外周面の周方向中央部分に凹溝２２ａが形成されているが、本発明は上記した構成に限定されるものではない。例えば、周壁部１２の内周面の左右両側部分にそれぞれ複数の凸リブ１２ａが設けられ、連結部材２０のガイド壁部２２の外周面に、上記凸リブ１２ａに係合する凹溝２２ａが複数形成された構成でもよい。また、周壁部１２の内周面に凹溝が形成され、ガイド壁部２２の外周面に、上記凹溝に係合する凸リブが設けられた構成でもよい。また、天板部２１の外縁面とガイド壁部２２の外周面との間に段差が形成されるように、天板部２１の外縁面にガイド壁部２２が突設されているとともに、周壁部１２の内周面に、上記ガイド壁部２２に係合する凹溝が形成された構成であってもよい。さらに、上記した凸リブ１２ａや凹溝２２ａ等の係合部が設けられていない構成にすることも可能である。
【００５２】
また、上記した実施の形態では、液体を吐出するポンプ本体６に装着される押下ヘッド４について説明しているが、本発明に係る押下ヘッドは、泡等の他の内溶液を吐出するポンプ（フォーマーポンプ等）に装着させることも可能である。
【００５３】
また、上記した実施の形態では、ノズル１３が前方（中心軸線Ｌ１に対して直交する方向）に向けられているが、本発明は、ノズル１３が上方（中心軸線Ｌ１に平行する方向）に向けられていてもよく、或いは、ノズル１３が斜め上方に向けられていてもよい。
【００５４】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００５５】
【図１】本発明の実施の形態を説明するための押下ヘッドが装着された押下ヘッド付きポンプを表した縦断面図である。
【図２】図１に示すＡ−Ａ間の断面図である。
【図３】本発明の実施の形態を説明するための連結部材を表した斜視図である。
【図４】本発明の他の実施の形態を説明するための押下ヘッドの縦断面図である。
【図５】本発明の他の実施の形態を説明するための押下ヘッドの縦断面図である。
【符号の説明】
【００５６】
１  吐出容器
２  押下ヘッド付きポンプ
４  押下ヘッド
６  ポンプ本体（ポンプ）
１０  ヘッド本体
１２  周壁部
１２ａ  凸リブ（係合部）
１３  ノズル
１５  弁室
２０、１２０  連結部材
２１  天板部
２２  ガイド壁部
２２ａ  凹溝（係合部）
２３、１２３  下筒部
２４  上筒部
３０  弁部材
４０、１４０  移動機構
６２、１６２  ステム
【図１】
0005244346.tif 000002
【図２】
0005244346.tif 000003
【図３】
0005244346.tif 000004
【図４】
0005244346.tif 000005
【図５】
0005244346.tif 000006